(57)【要約】【課題】電話やメールの未確認の着信がある場合に、その旨をユーザに報知すること。【解決手段】複数種類の報知手段１４０、１５０、１６０、１７０と、各報知手段１４０、１５０、１６０、１７０の動作を制御する制御手段１１０と、通信相手の電話番号やメールアドレスを示す通信相手データを格納するデータ格納手段であって、任意の通信相手データに対して、当該通信相手データによって示される通信相手の電話番号やメールアドレスからの未確認の着信があった場合の各報知手段の動作方法の設定を格納するデータ格納手段１３０とを備え、制御手段１１０は、未確認の着信があった通信相手の電話番号やメールアドレスに対して、各報知手段１４０、１５０、１６０、１７０の動作方法の設定がデータ格納手段１３０に格納されている場合、当該設定による動作方法に従って動作するよう各報知手段１４０、１５０、１６０、１７０を制御する。【選択図】図１
2012084963.tif 000002
【特許請求の範囲】
【請求項１】
電話やメールの未確認の着信がある場合に、その旨をユーザに報知する携帯電話であって、
複数種類の報知手段と、
前記各報知手段の動作を制御する制御手段と、
通信相手の電話番号やメールアドレスを示す通信相手データを格納するデータ格納手段であって、任意の前記通信相手データに対して、当該通信相手データによって示される通信相手の電話番号やメールアドレスからの未確認の着信があった場合の前記各報知手段の動作方法の設定を格納するデータ格納手段と
を備え、
前記制御手段は、未確認の着信があった通信相手の電話番号やメールアドレスに対して、前記各報知手段の動作方法の設定が前記データ格納手段に格納されている場合、当該設定による動作方法に従って動作するよう前記各報知手段を制御することを特徴とする携帯電話。
【請求項２】
前記制御手段は、未確認の着信があった通信相手の電話番号やメールアドレスに対して、前記各報知手段の動作方法の設定が前記データ格納手段に格納されていない場合、予め定められた汎用の設定による動作方法に従って動作するよう前記各報知手段を制御することを特徴とする請求項１に記載の携帯電話。
【請求項３】
前記制御手段は、前記各報知手段の動作方法の設定として、当該各報知手段を動作させるべき時間が設定されている場合、当該設定の時間の間動作するよう前記各報知手段を制御することを特徴とする請求項１又は２に記載の携帯電話。
【請求項４】
前記制御手段は、前記設定された時間が経過していなくても、ユーザによって前記未確認の着信について確認する旨の操作がなされた場合、前記各報知手段の動作を停止させることを特徴とする請求項３に記載の携帯電話。
【請求項５】
前記複数種類の報知手段のうち少なくとも一の報知手段はＬＥＤであることを特徴とする請求項１から４のいずれか一項に記載の携帯電話。
【請求項６】
前記複数種類の報知手段のうち少なくとも一の報知手段はディスプレイであることを特徴とする請求項１から５のいずれか一項に記載の携帯電話。
【請求項７】
前記複数種類の報知手段のうち少なくとも一の報知手段はバイブレータであることを特徴とする請求項１から６のいずれか一項に記載の携帯電話。
【請求項８】
前記複数種類の報知手段のうち少なくとも一の報知手段はスピーカーであることを特徴とする請求項１から７のいずれか一項に記載の携帯電話。
【発明の詳細な説明】
【技術分野】
【０００１】
本発明は、携帯電話に関する。特に、本発明は、電話やメールの未確認の着信がある場合に、その旨をユーザに報知する携帯電話に関する。
【背景技術】
【０００２】
携帯電話には、不在着信や未読メールがあった場合、携帯電話が自発的にＬＥＤの点滅を行う機能や、ユーザが意識的に不在着信又は未読メールが存在するか確認するためにボタンを押す等自発的に確認行為を行うことで、バイブレータの動作、着信音の鳴動等により存在を知らせる機能があった。
【０００３】
しかし、ＬＥＤの点滅では視覚のみの利用という点で、携帯電話をポケット又はかばん等に入れている場合等ではＬＥＤの点滅に気付くことができず、ユーザが不在着信又は未読メールの存在を知る機会が遅れてしまう恐れがあった。また、ユーザが意識的に不在着信又は未読メールが存在するか確認するためにボタンを押す等自発的に確認行為を行うことで、バイブレータの動作又は着信音の鳴動等でユーザへ存在を知らせる手段では、自発的に不在着信又は未読メールの確認行為を行うことをしない場合に、大切な電話やメールがあったことを知る機会が遅くなってしまうという恐れがあった。
【０００４】
このような問題を解決するための技術としては、自機宛の着信信号を無線部で受信し、バイブレータによる振動で着信報知を行うことのできる無線電話装置が知られている（例えば、特許文献１参照。）。
【先行技術文献】
【特許文献】
【０００５】
【特許文献１】特開２００２−０１６６７１号公報
【発明の概要】
【発明が解決しようとする課題】
【０００６】
特許文献１に記載の技術によっては、いつまでも不在着信があったことを気付かずに放置される状態をより早く解消できるという効果がある。ところで、不在着信の中には、急を要する相手からのものと、そうでない相手からのものとがある。急を要する相手からの不在着信は、他の用を差し置いても、できるだけ早く確認したいものである。一方、急を要さない相手からの不在着信は、他の用がある場合、できれば、その確認を後回しにしたいものである。しかしながら、特許文献１に記載の技術は、このような急を要する相手からの不在着信であるか否かによらず、全ての不在着信について、同じように報知する。そのため、ユーザは、他の用を行っている場合に、急を要さない相手からの不在着信をも確認しなければならないことにもなってしまう。
【課題を解決するための手段】
【０００７】
上記課題を解決するために、本発明の第１の形態によると、電話やメールの未確認の着信がある場合に、その旨をユーザに報知する携帯電話であって、複数種類の報知手段と、各報知手段の動作を制御する制御手段と、通信相手の電話番号やメールアドレスを示す通信相手データを格納するデータ格納手段であって、任意の通信相手データに対して、当該通信相手データによって示される通信相手の電話番号やメールアドレスからの未確認の着信があった場合の各報知手段の動作方法の設定を格納するデータ格納手段とを備え、制御手段は、未確認の着信があった通信相手の電話番号やメールアドレスに対して、各報知手段の動作方法の設定がデータ格納手段に格納されている場合、当該設定による動作方法に従って動作するよう各報知手段を制御する。
【０００８】
なおまた、上記のように発明の概要は、本発明の必要な特徴の全てを列挙したものではなく、これらの特徴群のサブコンビネーションもまた、発明となり得る。
【発明の効果】
【０００９】
以上の説明から明らかなように、この発明においては、電話番号やメールアドレス毎に、不在着信又は未読メールが存在する時の動作を予め設定しておくことによって、特定の相手からの不在着信や未読メールの存在を視覚、聴覚、触覚を利用して的確に知らせることができる。
【図面の簡単な説明】
【００１０】
【図１】携帯電話１００のブロック構成の一例を示す。
【図２】不在着信時、未読メール存在時に図１の制御部１１０が行うＬＥＤ１４０、ディスプレイ１５０、バイブレータ１６０、スピーカー１７０に対しての制御動作を示す図である。
【図３】個別の制御動作の設定を示す図である。
【図４】汎用の制御動作の設定を示す図である。
【図５】携帯電話の動作を示す図である。
【発明を実施するための形態】
【００１１】
以下、発明の実施の形態を通じて本発明を説明するが、以下の実施形態は、特許請求の範囲にかかる発明を限定するものではなく、また、実施形態の中で説明されている特徴の組み合わせの全てが発明の解決手段に必須であるとは限らない。
【００１２】
図１は、携帯電話１００のブロック構成の一例を示す。携帯電話１００は、不在着信や未読メールがある場合に、その旨をユーザに報知する機能を持っている。
【００１３】
携帯電話１００は、制御部１１０、無線通信部１２０、メモリ１３０、ＬＥＤ（Ｌｉｇｈｔ  Ｅｍｉｔｔｉｎｇ  Ｄｉｏｄｅ）１４０、ディスプレイ１５０、バイブレータ１６０、及びスピーカー１７０を備える。なお、制御部１１０は、この発明における「制御手段」の一例であってよい。また、メモリ１３０は、この発明における「データ格納手段」の一例であってよい。また、ＬＥＤ１４０、ディスプレイ１５０、バイブレータ１６０、及びスピーカー１７０は、この発明における「報知手段」の一例であってよい。
【００１４】
制御部１１０は各部と接続されている。このうちメモリ１３０は、制御部１１０が実行するための各種の制御用プログラムや電話番号、メールアドレス等の電話帳データを格納している。本発明で使用する電話番号と不在着信が存在する時の動作、メールアドレスと未読メールが存在する時の動作の情報もメモリ１３０に保存される。無線通信部１２０は、音声発着信やメール受信等、無線通信を行うブロックである。スピーカー１７０は、制御部１１０から出力される着信音等を出力する。ディスプレイ１５０は、図示しない装置本体の前面、又は背面に配置されており、白黒あるいはカラーの液晶パネルあるいは有機ＥＬ（電子蛍光）等の表示装置である。ＬＥＤ１４０及びバイブレータ１６０は、制御部１１０によって点灯／消灯、回転／停止を制御される。
【００１５】
以下本発明の動作を説明する。ユーザは事前に任意で電話番号と不在着信が存在する時の携帯電話の動作、メールアドレスと未読メールが存在する時の携帯電話の動作を設定することができる。不在着信が存在する時の携帯電話の動作及び未読メールが存在する時の携帯電話の動作の具体的な例として図２に示した。図２では、不在着信時、未読メール存在時に図１の制御部１１０が行うＬＥＤ１４０、ディスプレイ１５０、バイブレータ１６０、スピーカー１７０に対しての制御動作を示している。この設定は図１のメモリ１３０に保存される。
【００１６】
ＬＥＤ１４０、ディスプレイ１５０、バイブレータ１６０、スピーカー１７０に対する動作はそれぞれ個別に設定することができるため、図３に示すように、ＬＥＤのみ点滅させるパターンやバイブレータ動作と着信音の鳴動を連動させるパターン等、相手によって不在着信又は未読メールが存在する時の携帯電話の動作を変化させて設定することができる。
【００１７】
また、電話番号とメールアドレス毎への設定は任意であるため、図４に示すように、設定を行っていない電話番号からの着信やメールアドレスからのメール受信時の動作は、汎用の動作として一括で設定を行うことができる。
【００１８】
図５のフローチャートに従い、不在着信が存在する時の携帯電話の動作、未読メールが存在する時の携帯電話の動作を説明する。電話又はメール着信があり（Ｓ１０１）、相手が切断動作を行うと（Ｓ１０２）、不在着信有り又は未読メール有りの状態となる。
【００１９】
上記のとおり、ユーザは事前に任意で電話番号と不在着信が存在する時の携帯電話の動作、メールアドレスと未読メールが存在する時の携帯電話の動作を設定しているため、着信のあった電話番号又は受信メールのメールアドレスに不在着信が存在する時の携帯電話の動作又は未読メールが存在する時の携帯電話の動作が設定されているか制御部１１０はメモリ１３０を確認する（Ｓ１０３）。
【００２０】
メモリ１３０に設定が保存されている場合は（Ｓ１０３：Ｙｅｓ→Ｓ１０４）、その設定内容のとおりの動作を実行する（Ｓ１０５）。メモリ１３０に設定が保存されていない場合は（Ｓ１０３：Ｎｏ→Ｓ１０６）、メモリ１３０に保存されている汎用設定動作を実行する（Ｓ１０７）。設定動作はユーザが不在着信又は未読メールを確認するまで継続され（Ｓ１０８：Ｎｏ→Ｓ１０９の繰り返し）、確認されると（Ｓ１０８：Ｙｅｓ）、動作は終了となる。
【００２１】
更に本発明では、図２の設定に追加して継続時間の設定を設けても良い。継続時間の設定を設けることでユーザが都合により長い期間不在着信や未読メールを確認できなかった場合に継続してＬＥＤ点滅、ＬＣＤ表示、バイブレータ動作、着信音鳴動等の動作を行い続けることによる電池の消耗を防ぐことができる。
【００２２】
以上説明したように本発明によれば、ＬＥＤ点滅に加えて、ＬＣＤ表示、バイブレータ、着信音鳴動等の手段によって不在着信や未読メールの存在を知らせる方法をとるため、視覚に加え、聴覚、触覚を利用して携帯電話をポケット又はかばん等に入れている場合等での不在着信又は未読メールの存在をより気づきやすくすることができる効果がある。
【００２３】
また、あらかじめ電話番号及びメールアドレス毎に不在着信又は未読メールが存在する時の動作（ＬＥＤ点滅、ＬＣＤ表示、バイブレータ動作、着信音鳴動）を設定しておくことによって、特定の相手からの不在着信や未読メールの存在を視覚、聴覚、触覚を利用して的確に知らせることができるという効果がある。また、重要でない相手からの不在着信や未読メール等、存在を積極的に知らせる必要がない場合にも、個別設定又は汎用設定を可能にしていることにより携帯電話から不在着信や未読メール等、存在を積極的に知らせることを防止することも可能である。
【００２４】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００２５】
１００  携帯電話
１１０  制御部
１２０  無線通信部
１３０  メモリ
１４０  ＬＥＤ
１５０  ディスプレイ
１６０  バイブレータ
１７０  スピーカー
【図１】
2012084963.tif 000003
【図２】
2012084963.tif 000004
【図３】
2012084963.tif 000005
【図４】
2012084963.tif 000006
【図５】
2012084963.tif 000007